(57)【要約】【課題】  本発明は友連れによる入退室を防止又は検知する入退室管理システムを提供することにある。【解決手段】  遠隔型ＩＣカードを用いる入退室管理システムにおいて、入室しようとする扉の前に人物が立った時にのみ非接触型カードリーダの電源をＯＮにしてＩＣカードによる認証を許可する。ＩＣカードによる認証を行った際に、室内側人体検知センサーで人を検知した場合は扉の電気錠の解錠を行わない。また、扉開閉センサーにより扉が開いてから閉じるまでを監視し、非接触型カードリーダでの認証により電気錠を解錠してから扉が開いて閉まるまでの間の室外側での人物検知回数及び室内側での人物検知回数が非接触型カードリーダでの認証回数を上回った場合は共連れによる入退室の可能性があるため、管理端末へ警告をあげる。【選択図】  図１
2006144226.tif 000002
【特許請求の範囲】
【請求項１】
遠隔型ＩＣカードと非接触型カードリーダを用いた入退室管理システムにおいて、入退室管理を行う部屋の室内及び室外に人体検知センサーを設け、人体検知センサーによる検知信号とＩＣカードによる認証の両方の出力信号を認証することにより電気錠の解錠を行う機能を備えたことを特徴とする遠隔型ＩＣカードを用いた入退室管理システム。
【請求項２】
請求項１に記載の入退室管理システムにおいて、室外の人体検知センサーで人物を検知した場合に非接触型カードリーダの電源が入り遠隔型ＩＣカードによる認証が可能となる機能を備えたことを特徴とする遠隔型ＩＣカードを用いた入退室管理システム。
【請求項３】
請求項１または２に記載の入退室管理システムにおいて、非接触型カードリーダでの認証に成功した場合に室内側の人体検知センサーの検知信号を確認する機能を備え、室内側の人体検知センサーで人物を検知した場合には電気錠を解錠しない機能を備えたことを特徴とする遠隔型ＩＣカードを用いた入退室管理システム。
【請求項４】
請求項１または２にまたは３に記載の入退室管理システムにおいて、入退室管理システムを監視する管理端末と、扉に開閉センサーを設け、扉が開いてから閉じるまでの時間を検知する機能を備え、非接触型カードリーダによる認証から扉が閉まるまでの間の非接触型カードリーダによる認証回数、及び室外側の人体検知センサーによる人物検知回数、及び室内側の人体検知センサーによる人物検知回数をカウントする機能を備え、室外側での人物検知回数及び室内側での人物検知回数が非接触型カードリーダによる認証回数を上回った場合に、管理端末へ警告情報を送る機能を備えたことを特徴とする遠隔型ＩＣカードを用いた入退室管理システム。
【発明の詳細な説明】
【技術分野】
【０００１】
本発明は非接触でＩＣカードと情報を送受信する遠隔型ＩＣカードを用いた入退室管理システムに関し、特に共連れによる入退室の防止及び監視を行うことが出来る遠隔型ＩＣカードを用いた入退室管理システムに関する。
【背景技術】
【０００２】
企業が取り扱う機密情報の重要性により、オフィスへの不正入室を防止するために入退室管理システムが必要となってきている。このような入退室管理システムとしては、各人が入退室権限のあるＩＣカードを携帯し、入退室をしようとする部屋の近くに設置してある非接触型カードリーダへＩＣカードをかざすことにより認証を行い、部屋の扉の電気錠を解錠するものが一般的である。また、セキュリティをより強化するために、特許文献１に示されるようなカードリーダと人体検知センサーを用いて入室意思のない者が感知エリア内を通過したのみでは入室資格が満たしても解錠することなく入室意思がある者のみを入室させる入退室管理システムが提案されている。
【０００３】
【特許文献１】特開平８−２６０７８２号公報
【発明の開示】
【発明が解決しようとする課題】
【０００４】
かかる従来の入退室管理システムにおいては、次のような問題がある。
【０００５】
従来の一般的な入退室管理システムでは、非接触型カードリーダでの認証のみで扉を解錠するため、入室権限を持つ人物が入退室を行う意思が無い場合でも非接触型カードリーダのアクセスエリアに入っただけで認証を行って扉の電気錠を解錠してしまうという問題があった。また、上記特許文献１に示されるような入退室管理システムの場合、一般的な扉の形状だと共連れによる入退室を防止及び検知することが不可能であるという問題があった。
【０００６】
本発明の目的は、上記課題を解決し入退室する意思がある場合にのみ非接触型カードリーダによる認証を行うことが可能な遠隔型ＩＣカードを用いた入退室管理システムを提供することにある。
【０００７】
本発明の他の目的は、正当な認証による室内への入室に伴った、共連れによる入退室を防止する遠隔型ＩＣカードを用いた入退室管理システムを提供することにある。
【０００８】
本発明のさらに他の目的は、認証権限のある人物の入室に伴った、入室権限の無い人物の共連れによる入室を検知する遠隔型ＩＣカードを用いた入退室管理システムを提供することにある。
【課題を解決するための手段】
【０００９】
上記課題を解決するために、本発明の遠隔型ＩＣカードを用いた入退室管理システムは、遠隔型ＩＣカードを用いた入退室管理システムの認証方法において、室内及び室外に人体検知センサーを設置し、人体検知センサーで人物を検知した場合に非接触型カードリーダの電源が入る機能を設ける。室内または室外の人体検知センサーで人物を検知した場合に非接触型カードリーダの電源が入り、ＩＣカードによる認証を行う。さらに望ましくは、室外の人体検知センサーで人物を検知した場合に非接触型カードリーダの電源が入り遠隔型ＩＣカードによる認証が可能となる機能を備える。このようにして、入室しようとする部屋の扉の前に立った場合にのみ非接触型カードリーダによる認証を行うことで、入退室する意思がある場合にのみ遠隔型ＩＣカードの認証を行うことが可能となる。
【００１０】
また、本発明の他の目的を達成するために、本発明の遠隔型ＩＣカードを用いた入退室管理システムは、非接触型カードリーダでの認証に成功した場合に室内側の人体検知センサーの検知信号を確認する機能を備え、室内側の人体検知センサーで人物を検知した場合には電気錠を解錠しない機能を備える。入室しようとする意思を持つ人物が扉の前で非接触型カードリーダによる認証を行った場合でも、入室しようとする部屋の室内側の人体検知センサーで人物を検知した場合には共連れによる退室の可能性があるため扉の電気錠の解錠を行わない。このようにして正当な認証による室内への入室に伴った、共連れによる入退室を防止することが可能となる。
【００１１】
また、本発明のさらに他の目的を達成するために、本発明の遠隔型ＩＣカードを用いた入退室管理システムは、入退室管理システムを監視する管理端末と、扉に開閉センサーを設け、扉が開いてから閉じるまでの時間を検知する機能を備える。また、非接触型カードリーダによる認証から扉が閉まるまでの間の非接触型カードリーダによる認証回数、及び室外側の人体検知センサーによる人物検知回数、及び室内側の人体検知センサーによる人物検知回数をカウントする機能を備え、室外側での人物検知回数及び室内側での人物検知回数が非接触型カードリーダによる認証回数を上回った場合に、管理端末へ警告情報を送る機能を備える。入退室を管理する扉の開閉センサーが扉の開閉を監視する。非接触型カードリーダの認証回数、室外側の人体検知センサーでの人物の検知回数、室内側の人体検知センサーでの人物の検知回数を各々カウントし、非接触型カードリーダでの認証により電気錠を解錠してから扉が開いて閉まるまでの間を監視し、その間の室外側での人物検知回数、室内側での人物検知回数が非接触型カードリーダでの認証回数を上回った場合は共連れによる入退室の可能性があるため、管理端末へ警告情報を送る。このようにして認証権限のある人物の入室に伴った、入室権限の無い人物の共連れによる入室を検知することが可能となる。
【発明の効果】
【００１２】
本発明の遠隔型ＩＣカードを用いた入退室管理システムによれば、入退室を管理する部屋への入室意思を持った人物が認証を行った場合にのみ入室を許可するため、必要以上に扉の電気錠の解錠を行うことがなくより高いセキュリティを確保することが可能である。また、人体検知センサーを併用することにより、共連れによる入退室の防止及び検知を行うことが可能となる。
【発明を実施するための最良の形態】
【００１３】
以下、本発明を実施の形態を図を用いて詳細に説明する。
【００１４】
図１は、本発明の遠隔型ＩＣカードを用いた入退室管理システムの構成概要図であり、図２、図３及び図４は本発明に係る処理手順の実施の形態を示すフローチャートである。図１において、入退室管理する部屋の扉１０２の近傍に各センサーを設置する。扉１０２の室外側には遠隔型カードリーダ１０４、室外側人体検知センサー１０６を備え、扉１０２の室内側には室内側人体検知センサー１０７を備え、さらに扉開閉センサー１０５を備える。それぞれの検知エリアは図１に示す通りである。また図５は本発明に係る入退室管理システムを構成する各機器のシステム構成図である。遠隔型カードリーダ１０４、室外側人体検知センサー１０６、室内側人体検知センサー１０７、扉開閉センサー１０５と連携して入退室を制御する制御装置５０１が通信装置５０６，５０７により管理端末５０８と通信する。管理端末５０８には制御装置５０１から送信された検知情報を格納する記憶装置５０９を備える。
【００１５】
まず図２と図３、図４、図５により入退室管理処理の流れを説明する。図２、図３及び図４は一連の処理の流れを解錠までと解錠・扉開放から閉まるまで・扉が閉まった後に分けて示した図である。以下図２、図４により解錠までの処理を説明する。
【００１６】
まず、遠隔型ＩＣカードを保持した人物が、入室しようとする部屋１０１へ入室しようと扉１０２の前に立つことで、室外側の人体検知センサー１０６で人体を検知し（ステップ２０１）、室外検知回数に１を加算する（ステップ２０２）。このとき、その情報が図５に示す管理端末５０８へ送られ、記憶装置５０９内に保持してあるデータベースの該当カードリーダ５１０の室内側検知回数５１３に１を加算する。遠隔型カードリーダ１０４の電源をＯＮにし（ステップ２０３）、遠隔型ＩＣカードによる認証を行う（ステップ２０４）。このとき、遠隔型ＩＣカードによる認証が一定時間内に行われない（ステップ２０５）時には、遠隔型カードリーダ１０４の電源をＯＦＦにし（ステップ２０６）、管理端末５０８へ認証終了を通知する（ステップ２０７）。管理端末５０８では認証終了通知を受け取ると、記憶装置５０９内に保持してあるデータベースの該当カードリーダ５１０の扉開閉５１１を判断し、扉開閉５１１が‘０’のため認証回数５１２、室内検知回数５１３、室外検知回数５１４を全てゼロにする。遠隔型ＩＣカードによる認証が行われた時は、入室権限をチェックする（ステップ２０８）。入室権限がない場合には認証がＮＧであることを遠隔型カードリーダ１０４に表示し（ステップ２１０）、遠隔型カードリーダ１０４の電源をＯＦＦにした後（ステップ２１１）、管理端末５０８へ認証終了を通知する（ステップ２１２）。管理端末５０８では認証終了通知を受け取ると、記憶装置５０９内に保持してあるデータベースの該当カードリーダ５１０の扉開閉５１１を判断し、扉開閉５１１が‘０’のため認証回数５１２、室内検知回数５１３、室外検知回数５１４を全てゼロにする。また、入室権限のチェックでＯＫとなった時に、室内側人体検知センサー１０７で人物を検知した場合には共連れによる退室の可能性があるため入室がＮＧであることを遠隔型カードリーダ１０４に表示し入室を制限する（ステップ２１０〜２１２）。
【００１７】
室内側人体検知センサー１０７で人物を検知せず（ステップ２０９）、入室がＯＫとなった場合、扉１０２の電気錠を解錠状態にし（ステップ２１３）、認証回数に１を加算する（ステップ２１４）。このとき、その情報が管理端末５０８へ送られ、記憶装置５０９内に保持してあるデータベースの該当カードリーダ５１０の認証回数５１２に１を加算する。
【００１８】
以下図３、図５により解錠後から扉が閉まるまでの処理を説明する。
【００１９】
次に扉開閉センサー１０５により扉１０２が開いたかどうかを検知する（ステップ３０１）。一定時間扉が開かない場合は（ステップ３０２）遠隔型カードリーダ１０４の電源をＯＦＦにして（ステップ３０３）電気錠を施錠状態にした後（ステップ３０４）管理端末５０８へ認証終了を通知する（ステップ３０５）。管理端末５０８では認証終了通知を受け取ると、記憶装置５０９内に保持してあるデータベースの該当カードリーダ５１０の扉開閉５１１を判断し、扉開閉５１１が‘０’のため認証回数５１２、室内検知回数５１３、室外検知回数５１４を全てゼロにする。
【００２０】
扉１０２が開いた場合に情報を監視端末５０８へ送信し（ステップ３０６）、管理端末５０８では記憶装置５０９内に保持してあるデータベースの該当カードリーダ５１０の扉開閉を‘１’にする。扉開閉センサー１０５により扉１０２が閉じるのを検知する（ステップ３１３）までの間、遠隔型カードリーダ１０４による認証（ステップ３０７）、室外側人体検知センサー１０６での人体検知（ステップ３０９）、室内側人体検知センサー１０７での人体検知（ステップ３１１）を監視し、何れかを検知した場合には、各々の情報を管理端末５０８へ送信して記憶装置５０９内に保持してあるデータベースの該当カードリーダ５１０の認証回数５１２、室内検知回数５１３、室外検知回数５１４のうちの何れかに１を加算する（ステップ３０８，３１０，３１２）。
【００２１】
以下図４、図５により扉が閉まった後の処理を説明する。
【００２２】
扉１０２が閉じた場合、遠隔型カードリーダ１０４の電源をＯＦＦにし（ステップ４０１）、電気錠を施錠状態にした後（ステップ４０２）、管理端末５０８へ認証終了を通知する（ステップ４０３）。管理端末５０８では認証終了通知を受け取ると、記憶装置５０９内に保持してあるデータベースの該当カードリーダ５１０の扉開閉５１１が‘１’のため、認証回数５１２と、室内側検知回数５１３及び室外側検知回数５１４を比較し（ステップ４０４）、認証回数５１２＜室内側検知回数５１３及び室外側検知回数５１４かつ認証回数５１２＜室外側検知回数５１４及び室外側検知回数５１４の場合は共連れによる入退室の可能性があるため、管理端末５０８へ警報をあげる（ステップ４０５）。また、比較を行った後は、記憶装置５０９内に保持してあるデータベースの該当カードリーダ５１０の扉開閉５１１、認証回数５１２、室内検知回数５１３、室外検知回数５１４を全てゼロにする（ステップ４０６）。
【図面の簡単な説明】
【００２３】
【図１】遠隔型ＩＣカードを用いた入退室管理システムの構成概要図である。
【図２】本発明に係る入退室管理処理の流れの内、解錠までの手順を示すフローチャートである。
【図３】本発明に係る入退室管理処理の流れの内、解錠後から扉が閉まるまでの手順を示すフローチャートである。
【図４】本発明に係る入退室管理処理の流れの内、扉が閉まった後の手順を示すフローチャートである。
【図５】遠隔型ＩＣカードを用いた入退室管理システムの各機器の構成図である。
【符号の説明】
【００２４】
１０２…扉、１０４…遠隔型カードリーダ、１０５…扉開閉センサー、１０６…室外側人体検知センサー、１０７…室内側人体検知センサー、５０１…制御装置、５０６，５０７…通信装置、５０８…管理端末、５０９…記憶装置。
【図１】
2006144226.tif 000003
【図２】
2006144226.tif 000004
【図３】
2006144226.tif 000005
【図４】
2006144226.tif 000006
【図５】
2006144226.tif 000007